(57)【特許請求の範囲】
【請求項１】
発電プラントにおいて、
常時運転用の第１ボイラーと、
上記発電プラントの発電負荷の増減に対応して発停運転可能な第２ボイラーと、  同各ボイラーで発生した高圧蒸気を供給される１基の蒸気タービンと、
同蒸気タービンにより駆動される発電機とをそなえ、
上記第２ボイラーで発生した熱水を供給されるとともに同熱水を蒸気とドレンとに分離可能なフラッシャーが設けられ、
同フラッシャーに上記蒸気タービンに接続される低圧蒸気取り出し管と上記ドレンを取り出すためのドレン管とが接続され、
上記の第１ボイラーおよび第２ボイラーの両方の運転時に同各ボイラーの給水が上記ドレンを供給される混合器で加熱されるとともに上記フラッシャーで発生した低圧蒸気が上記蒸気タービンに供給され、一方上記第１ボイラーのみの運転時に上記フラッシャーに上記蒸気タービンから抽気された低圧蒸気が供給されて同フラッシャーで上記第１ボイラーの給水が加熱されるように構成されていることを特徴とする、発電プラント。
【発明の詳細な説明】
【０００１】
【産業上の利用分野】
本発明は、１基の蒸気タービンに２基のボイラーを接続された発電プラントにおいて、蒸気タービン（発電機）の負荷の増減に対応して２基のボイラーのうちの１基のボイラーの運転を発停可能とするとともに、その際の設備費の低減化をはかった発電プラントに関する。
【０００２】
【従来の技術】
１基の蒸気タービン（この蒸気タービンに発電機が連結されている）に２基のボイラーを接続した発電プラントは、従来から広く知られている。
ところで、蒸気タービンの負荷は電力の需要に応じて変動するため、電力需要の低い夜間などでは、２基のボイラーのうちの一方のボイラーの運転を停止し、他方のボイラーのみで充分に蒸気タービンの負荷に対応することが可能な場合がある。
【０００３】
このような運転の可能な発電プラントとして、例えば図２に示すような発電プラントが想定できる。
すなわち図２において、発電プラントに第１ボイラー１１および第２ボイラー１０が装備されており、第１ボイラー１１は常時運転ボイラーとして、また第２ボイラー１０は発停運転ボイラーとして構成されている。
そして、発電機２１を駆動する蒸気タービン２０が設けられ、同蒸気タービン２０の高圧蒸気導入口２０ｂには高圧蒸気管１２，１３および高圧蒸気弁３３，３４を介して第２ボイラー１０および第１ボイラー１１から高圧蒸気が供給されるようになっている。
【０００４】
蒸気タービン２０の排気口は複水器２２，ポンプ２３を介して給水管３０に接続され、給水管３０の給水は、給水ポンプ２４で加圧されて、弁２５，加熱器２６および第１ボイラー給水管３１を介して第１ボイラー１１に供給される一方、弁２９，混合器給水管２８，混合器（インジェクタ）６および第２ボイラー給水管３２を介して第２ボイラー１０に供給されるようになっている。あるいは蒸気タービン２０の抽気蒸気をボイラー給水のために使用することもある。
【０００５】
加熱器２６には、高圧蒸気管１３の蒸気を導入される加熱コイル２６ａが設けられており、加熱コイル２６ａの下流端と第１ボイラー給水管３１との間に介装されたポンプ２７は、加熱コイル２６ａ内で発生したドレンを第１ボイラー給水管３１に戻す作用を行なう。
【０００６】
また第２ボイラー１０にエコノマイザ１０ａが内蔵されていて、エコノマイザ１０ａで加熱された給水の一部がフラッシャー給水管２を介してフラッシャー（気水分離器）３に取り出され、フラッシャー３内で蒸気ａとドレンｂとに分離され（図３参照）、ドレンｂがドレン管１５，ドレンポンプ５，管１６を介し混合器６に導入されて、混合器給水管２８の給水と混合し加温するように構成されている。そして、フラッシャー３で分離された低・中圧の蒸気を取り出すために、低圧蒸気取り出し管４が設けられていて、この低圧蒸気取り出し管４はタービン２０の低圧蒸気導入口２０ａに接続されている。
【０００７】
なお、第２ボイラー１０には、エコノマイザ１０ａで加熱された給水の残余を供給されて高圧蒸気を発生する熱回収器１０ｂがエコノマイザ１０ａよりボイラーガス流れの上流側に設けられていて、熱回収器１０ｂに高圧蒸気管１２が接続されている。
【０００８】
両方のボイラー１０，１１の作動時、弁２５，２９および高圧蒸気弁３３，３４はいずれも開状態にあり、このときフラッシャー３で分離された低中圧蒸気は、低圧蒸気取り出し管４を介して蒸気タービン２０へ送られ、その低圧蒸気導入口２０ａから蒸気タービン２０内に供給されている。
蒸気タービン２０の負荷が減少して第２ボイラー１０の運転が停止された時、弁２９および高圧蒸気弁３４は閉鎖され、したがって、フラッシャー３も不作動状態となり、同フラッシャー３から蒸気タービン２０に到る低圧蒸気管４は閉鎖される。
【０００９】
【発明が解決しようとする課題】
ところで、１基の蒸気タービンに２基のボイラーを接続された発電プラントにおいて、蒸気タービンの負荷の変動に対応して１基のボイラーを発停可能とすべく図２に示すような構成としたとき、第１ボイラー１１の給水回路に加熱器２６（加熱コイル２６ａを含む）やポンプ２７などを必要とするため、設備コストが嵩むという問題点がある。
本発明はこのような問題点を解消した、発電プラントを提供することを目的とする。
【００１０】
【課題を解決するための手段】
上述の目的を達成するため、本発明の発電プラントは、常時運転用の第１ボイラーと、上記発電プラントの発電負荷の増減に対応して発停運転可能な第２ボイラーと、同各ボイラーで発生した高圧蒸気を供給される１基の蒸気タービンと、同蒸気タービンにより駆動される発電機とをそなえ、上記第２ボイラーで発生した熱水を供給されるとともに同熱水を蒸気とドレンとに分離可能なフラッシャーが設けられ、同フラッシャーに上記蒸気タービンに接続される低圧蒸気取り出し管と上記ドレンを取り出すためのドレン管とが接続され、上記の第１ボイラーおよび第２ボイラーの両方の運転時に同各ボイラーの給水が上記ドレンを供給される混合器で加熱されるとともに上記フラッシャーで発生した低圧蒸気が上記蒸気タービンに供給され、一方上記第１ボイラーのみの運転時に上記フラッシャーに上記蒸気タービンから抽気された低圧蒸気が供給されて同フラッシャーで上記第１ボイラーの給水が加熱されるように構成されていることを特徴としている。
【００１１】
【作用】
上述の本発明の発電プラントでは、第１ボイラーおよび第２ボイラーの両方の運転時、各ボイラーへの給水は、第２ボイラーから熱水を受けるフラッシャーで分離されたドレンで加熱される。
また、第１ボイラーのみの運転時には、蒸気タービンから蒸気の一部がフラッシャーに逆流し、この蒸気により第１ボイラーへの給水が加熱される。
【００１２】
【実施例】
以下、図面により本発明の一実施例としての発電プラントについて説明すると、図１はその模式構成図である。
なお、図１中図２，３と同じ符号はほぼ同一の部材を示している。
【００１３】
この実施例の発電プラントも、常時運転の第１ボイラー１１と負荷の変動に対応して発停運転可能な第２ボイラー１０とをそなえ、第１ボイラー１１および第２ボイラー１０の高圧蒸気管１３，１２が、蒸気タービン２０の高圧蒸気導入口２０ｂに接続されている。
さらに、第２ボイラー１０の内部に装備されたエコノマイザ１０ａに、混合器給水管２８が混合器（インジェクタ）６，第２ボイラー給水管３２および弁７を介して接続され、エコノマイザ１０ａから熱水の一部をフラッシャー給水管２を介して導入されるフラッシャー３が設けられている。
【００１４】
そして、混合器給水管２８とフラッシャー給水管２とがバイパス弁８を有するバイパス管９により接続され、さらに、混合器６と弁７との間から第１ボイラー給水管３１ａが分岐され、この第１ボイラー給水管３１ａにより第１ボイラー１１への給水が行なわれる。また、混合器給水管２８には、バイパス管９への分岐部と混合器６との間に流量調整弁２９ａが設けられるほか、混合器６の出口部にはボイラー給水の水温を計測する水温計１４が設けられる。
【００１５】
フラッシャー３は、図３に示したものと同じ構成となっていて、フラッシャー３で分離された低・中圧の蒸気ａを取り出すために低圧蒸気取り出し管４が設けられ、低圧蒸気取り出し管４は蒸気タービン２０の低圧蒸気導入口２０ａに接続されている。
一方フラッシャー３で分離されたドレンｂは、ドレン管１５，ドレンポンプ５および管１６を介して混合器６に供給されるようになっている。
図１中の符号２１は蒸気タービン２０に連結されて駆動される発電機，符号２２はコンデンサ，符号２３はポンプ，符号２４は給水ポンプ，符号２９は弁，符号３０は給水管をそれぞれ示している。
【００１６】
上述の構成において、両方のボイラー１０，１１の運転時、弁７は開状態にあり、、バイパス弁８は閉状態にある。したがって、給水ポンプ２４で加圧された給水は、
（Ａ）  混合器給水管２８→混合器６→第２ボイラー給水管３２→弁７→第２ボイラー１０および
（Ｂ）  混合器６→第１ボイラー給水管３１ａ→第１ボイラー１１
の２つの給水系統を介して２基のボイラー１０，１１にそれぞれ供給される。
【００１７】
第２ボイラー１０のエコノマイザ１０ａで加熱された熱水の一部はフラッシャー給水管２を介してフラッシャー３に導入され、フラッシャー３で分離されたドレンｂはドレン管１５，ドレンポンプ５を介して混合器６に導入され、ここで給水と混合し、給水の加温が行なわれる。
一方フラッシャー３で分離された蒸気ａは、低圧蒸気取り出し管４を介して蒸気タービン２０の低圧蒸気導入口２０ａに送られる。
【００１８】
蒸気タービン２０の低負荷時には、第２ボイラー１０の運転が停止されるが、このとき弁７および高圧蒸気弁３４は閉じられ、バイパス弁８が開けられる。
したがって、給水ポンプ２４で加圧された給水の一部は、
混合器給水管２８→バイパス弁８→フラッシャー３→ドレン管１５→ドレンポンプ５→混合器６
と流れて、混合器給水管２８から流量調整弁２９ａを通じ直接混合器６へ流入した給水と混合する。
【００１９】
そしてこのとき、フラッシャー３に、蒸気タービン２０の低圧蒸気導入口２０ａから低圧蒸気取り出し管４を介して低中圧蒸気が供給され、この低中圧蒸気がフラッシャー３において給水と混合し、給水を加温する。そしてドレン管１５から取り出された加温給水が、混合器６へ混合器給水管２８を通じ直接流入した給水と混合し、このようにして加温され給水が第１ボイラー給水管３１ａを通じ第１ボイラー１１に供給される。
【００２０】
この作動において、フラッシャー３には温度の低い給水が導入されるので、フラッシャー３の内部圧力は低下し、したがって蒸気タービン２０の低圧蒸気導入口２０ａからフラッシャーへの蒸気の逆流が円滑に行なわれることになる。なお、上述の作動に際し、バイパス弁８および流量調整弁２９ａの開度は、水温計１４からの検出信号に応じ適切に制御される。
【００２１】
このように、この実施例では、第１ボイラー１１のみの運転時に第２ボイラー１０に付設されたフラッシャー３を利用して、第１ボイラー１１の給水の加熱を行なうようにしたため、図２に示す従来の場合のような第１ボイラー給水加熱用の加熱器２６等を省略することが可能となり、設備コストの低減が可能となる。
【００２１】
【発明の効果】
以上詳述したように、本発明の発電プラントによれば、１基の蒸気タービンに２基のボイラーを接続された発電プラントにおいて、蒸気タービン（発電機）の負荷の増減に対応して２基のボイラーのうちの１基のボイラーの運転を発停可能としながら、残る１基の常用ボイラーへの給水については蒸気タービンから抽気した蒸気によりフラッシャーにおいて加温できるようにして、給水加温設備の簡素化をはかり、設備費の低減化をはかることが可能となる。
【図面の簡単な説明】
【図１】本発明の一実施例としての発電プラントの模式構成図。
【図２】想像上の発電プラントの模式構成図。
【図３】同フラッシャーの模式側断面図。
【符号の説明】
２  フラッシャー給水管
３  フラッシャー
４  低圧蒸気取り出し管
５  ドレンポンプ
６  混合器
７  弁
８  バイパス弁
９  バイパス管
１０  第２ボイラー
１１  第１ボイラー
１２，１３  高圧蒸気管
１４  水温計
１５  ドレン管
１６  管
２０  蒸気タービン
２０ａ  低圧蒸気導入口
２０ｂ  高圧蒸気導入口
２１  発電機
２２  コンデンサ
２３  ポンプ
２４  給水ポンプ
２８  混合器給水管
２９ａ  流量調整弁
３１，３１ａ  第１ボイラー給水管
３２  第２ボイラー給水管
３３，３４  高圧蒸気弁
【図１】
0003611252.tif 000002
【図２】
0003611252.tif 000003
【図３】
0003611252.tif 000004